(57)【要約】【課題】通常のセンサを使用して通帳の磁気ストライプを検出することで通帳の種別を判別することができる、小型、安価な装置を提供する。【解決手段】それぞれ異なる位置に磁気ストライプを有する複数の種類の通帳を取扱う通帳取扱装置において、通帳を検知すると共に、複数の通帳の磁気ストライプが通過する共通の位置に配置された光学的センサと、センサの検出信号を受けて通帳の搬送を制御すると共に、通帳のセンサの検出信号における磁気ストライプの通過時間を判別することで通帳の種類を判別する制御部と、を有する。【選択図】図１
2007179312.tif 000002
【特許請求の範囲】
【請求項１】
それぞれ異なる位置に磁気ストライプを有する複数の種類の通帳を取扱うことができる通帳取扱装置であって、
該通帳を検知すると共に、複数の通帳の磁気ストライプが通過する共通の位置に配置された光学的センサと、
該センサの検出信号を受けて該通帳の搬送を制御すると共に、該通帳の該センサの検出信号における磁気ストライプの通過時間を判別することで通帳の種類を判別する制御部と、を有することを特徴とする通帳取扱装置。
【請求項２】
それぞれ異なる位置に磁気ストライプを有する複数の種類の通帳を取扱うことができる通帳取扱装置であって、
該通帳の挿入を検知する光学的センサと、該センサの検出信号を受けて該通帳の吸入を行なう制御部とを有し、
該センサは複数の通帳の磁気ストライプが通過する共通の位置に配置され、該制御部は、該通帳の該センサの検出信号における磁気ストライプの通過時間を判別することで通帳の種類を判別することを特徴とする通帳取扱装置。
【請求項３】
通帳の搬送方向に対して直角な方向に磁気ストライプを有する横ストライプ通帳と、通帳の搬送方向に対して並行な方向に磁気ストライプを有する縦ストライプ通帳と、の２種類の通帳を受け入れて処理する通帳取扱装置であって、該２種類の磁気ストライプが通過する共通の位置に、１つの前記センサが配置され、
かつ制御部はセンサ上を通過する磁気ストライプの通過時間に関する情報を予めメモリに格納しておき、取得された該センサの検出信号における通過時間に相当する信号部分と該メモリに保持していた情報との関係から通帳の種別を判別することを特徴とする請求項１又は２の通帳取扱装置。
【請求項４】
更に、通帳の中紙に付されたバーコードを読取るバーコードリーダを備え、該制御部は該バーコードリーダによる認識と前記光学センサによる磁気ストライプの判別結果に基づいて通帳の種類を判別することを特徴とする請求項１乃至３のいずれかの通帳取扱装置。
【発明の詳細な説明】
【技術分野】
【０００１】
本発明は、通帳取扱装置に係り、特に銀行等の金融機関で利用される磁気ストライプ付の通帳を受け入れて印字を施すＡＴＭ（現金自動入出金装置）や通帳印字装置における通帳の取扱機構に関するものである。
【背景技術】
【０００２】
現在、銀行の統廃合が進み、仕様の異なる複数種類の通帳が混在して使用されている状況である。そこで、1台の装置で複数種の通帳が取扱えるようにしたいとの要求があり、通帳判別の方法が色々と提案されている。
【０００３】
例えば、図８に示すような従来技術においては、通帳プリンタ５の通帳の入口１付近に、磁気ストライプ付き通帳３の挿入/抜き取りを検出する為のセンサ２aを配置して、通帳を検知して処理開始/終了判定に用いている。また、ラインセンサやイメージリーダ１２によって通帳３の磁気ストライプの位置を検知して磁気ストライプの形状を読み取っている。これに関係するものとして、例えば特開２００２−２３０６２５号公報（特許文献１）がある。
【０００４】
また、図９に示すような従来技術として、縦開き通帳と横開き通帳を区別して検知するために、横ストライプ用読み書き部１３及び立てストライプ読み書き部１４を配置して、これら２つの読み書き部１３，１４にて磁気ストライプ読み込みを行い、読込みの可否で検出する方法が知られている。これに関係するものとして、例えば特開２００４−１６４３５４号公報（特許文献１）がある。
【０００５】
更に、図１０に示すように、横ストライプ通帳３と縦ストライプ通帳４aとの通帳の外形の違いに着目して、複数のセンサ２cを配置しておき、いずれのセンサで通帳を検出するかによって通帳の違いを判別するものが知られている。これに関係するものとして、例えば特開２００２−９２６９４号公報（特許文献３）がある。
また、他の従来技術として、イメージリーダ等で通帳のバーコード種別を検出し、その違いによって通帳を判別する方法がある。
【０００６】
【特許文献１】特開２００２−２３０６２５号公報
【特許文献２】特開２００４−１６４３５４号公報
【特許文献３】特開２００２−９２６９４号公報
【発明の開示】
【発明が解決しようとする課題】
【０００７】
上記従来技術の理解から、複数種の通帳を判別する方法として、概略以下の３つがあることがわかる。
（１）装置に専用の磁気ストライプ検知手段を具備し、通帳の判別を行う。
（２）従来から装置に備えている光学読み取り手段或いは磁気ストライプ読み取り/書き込み手段にて、それぞれ通帳のバーコード/磁気ストライプを検出し、通帳判別を行う。
（３）装置の挿入口付近の複数のセンサにより通帳外形を検出し、通帳判別を行う。
【０００８】
しかし、これら（１）〜（３）の方法においては各々次のような問題がある。
（１）の方法では、装置は専用の検知手段を具備することが必要であり、装置内にその手段を実装するスペースを確保することが必要である。そのため、装置を小型化するには障害となる。また、装置の原価が上がるので、安価な装置の要求には応えられない。
【０００９】
また（２）の方法では、通帳を取り込んで判別処理を行う為、単一通帳を扱う装置に比べ、処理速度が低下してしまう。（３）の方法では、通帳の外形が違っている場合には有効であるが、将来的にみて通帳の外形が統一される傾向にあり、外形で通帳を判別することは困難となることが考えられる。
【００１０】
本発明の目的は、装置に備えている通常のセンサを使用して通帳の磁気ストライプを検出することで通帳の種別を判別することができる、小型、安価な通帳取扱装置を提供することにある。
また、単一通帳を扱う装置と比べても処理速度を低下させることがないような通帳取扱装置を得ることにある。
【課題を解決するための手段】
【００１１】
本発明は、それぞれ異なる位置に磁気ストライプを有する複数の種類の通帳を取扱うことができる通帳取扱装置において、通帳を検知すると共に、複数の通帳の磁気ストライプが通過する共通の位置に配置された光学的センサと、センサの検出信号を受けて通帳の搬送を制御すると共に、通帳のセンサの検出信号における磁気ストライプの通過時間を判別することで通帳の種類を判別する制御部と、を有するように構成した通帳取扱装置である。
【００１２】
好ましい例では、それぞれ異なる位置に磁気ストライプを有する複数の種類の通帳を取扱うことができる通帳取扱装置において、通帳の挿入を検知する光学的センサと、センサの検出信号を受けて通帳の吸入を行なう制御部とを有し、センサは複数の通帳の磁気ストライプが通過する共通の位置に配置され、制御部は、通帳のセンサの検出信号における磁気ストライプの通過時間を判別することで通帳の種類を判別するように構成した通帳取扱装置である。
【００１３】
また、好ましい例では、通帳の搬送方向に対して直角な方向に磁気ストライプを有する横ストライプ通帳と、通帳の搬送方向に対して並行な方向に磁気ストライプを有する縦ストライプ通帳と、の２種類の通帳を受け入れて処理する通帳取扱装置であって、２種類の磁気ストライプが通過する共通の位置に、１つの前記センサが配置され、かつ制御部はセンサ上を通過する磁気ストライプの通過時間に関する情報を予めメモリに格納しておき、取得されたセンサの検出信号における通過時間に相当する信号部分とメモリに保持していた情報との関係から通帳の種別を判別するように構成される。
【発明の効果】
【００１４】
本発明によれば、通常のセンサを使用して通帳の磁気ストライプを検出することによって通帳の種別を判別することができ、小型、安価な装置を得ることができる。また、装置内に通帳を取り込む際に通帳の判別が行えるため、単一通帳を扱う装置と比べても処理速度を低下させることがない。また、磁気ストライプを検出することで通帳を判別するので、通帳外形の相違有無にかかわらず判別可能である。
【発明を実施するための最良の形態】
【００１５】
以下、図面を参照して本発明の一実施例を詳細に説明する。
図１は通帳プリンタの入口部を示す図である。この通帳プリンタはＡＴＭに搭載され、ＡＴＭからの制御命令に従って動作し、取引き情報を通帳に記入したり、通帳の繰越等の処理を行う。
【００１６】
通常、ＡＴＭで使用される通帳としては、その裏側の所定部に磁気ストライプを備え、また内側の各印字頁には頁ごとに異なるバーコードが付された上下開き通帳が使用されている。しかし、銀行によって磁気ストライプの貼り付け位置や形状が異なるため、複数種の通帳が存在する状況である。例えば、図１の通帳３は横ストライプ通帳と称し、横方向に磁気ストライプ３１が固定されている。また、図４に示すような、通帳４a、４bは縦ストライプ通帳と称し、それぞれ縦方向の異なる位置に磁気ストライプ４１，４２が設けられている。
【００１７】
さて、図１において、通帳プリンタ５の通帳の出入口１付近に、磁気ストライプ付き通帳３の挿入/抜き取りを検出する為の光学的センサ２aが配置され、通帳を検知して処理開始/終了判定に用いている。
【００１８】
挿入/抜き取り検知センサ２ａは反射型と呼ばれるセンサであり、自ら発した光が検知対象物に当たりその反射光を検知することで、対象物の有無を検出する。通常、このセンサ２ａ出力を利用して、ＡＴＭが利用客待ち状態にある場合は、その取引開始を検知したり、あるいはＡＴＭが取引中である場合には、通帳の抜き取りを検知して取引終了/利用客待ち状態への移行する為に供している。このセンサ２ａの前後位置は、前述の用途に用いる場合に最も効果的に使用する為に、シャッタ（図示せず）より更に前方にあって、ＡＴＭの最も利用客に近い位置に配置されている。このセンサ２ａは予め通帳４ａの磁気ストライプ４１が通過する位置に配置されている。
【００１９】
図２を参照して、ＡＴＭの出入口１から吸入される通帳の処理シーケンスについて説明する。図２の（Ａ）は図１の実施例による処理シーケンス、（Ｂ）は単一の通帳を取扱う場合の従来から行なわれている処理シーケンスである。両者を対比して示してある。
通帳の吸入処理動作において、通帳の挿入を検知すると（５１）、通帳の吸入を開始し（５２）、通帳の吸入途中で通帳の内部頁に付された頁バーコードを読取り（５３）、通帳を基準位置に停止させて（５４）、次の処理例えば印字動作を待つ（５５）の一連の動作過程は、本実施例でも従来技術でも共通である。
【００２０】
本実施例においては、（Ａ）のように、更に通帳判別処理（５０）を含んでいる。通帳判別処理５０において、磁気ストライプが縦型か否かを判別し（５０１）、縦型であれば、種別が通帳４aの型であると判断し（５０２）、否であれば、種別が通帳３の型であると判断する（５０３）。これは、挿入/抜き取りセンサ２ａにより通帳の磁気ストライプの違いを検出できることで実現され、単一通帳を取り扱う装置の場合（Ｂ）に比べても処理速度が低下しないことを意味している。
【００２１】
上記の制御は、通帳プリンタ５が備える制御部によって行なわれる。制御部は、プロセッサ及びメモリを有しており、センサの検知信号を受けて、通帳を搬送するための機構部を制御して通帳の吸入を行なう。本実施例ではこの制御部が通帳の判別処理も行う。
通帳の種別が判別された後は、制御部は、例えば通帳の種別に応じた印字データのフォーマットの処理を行なう。
【００２２】
図３は磁気ストライプの位置の違いによるセンサ２aの検出出力を示す。横軸は時間軸、縦軸はセンサの出力である。
通帳の表紙の材質と磁気ストライプとの光の反射率の違いがそのままセンサ出力Ｖの高低差となる。しかもセンサ２ａは、そのセンサ上を通帳３の磁気ストライプ３１及び通帳４ａの磁気ストライプが通過する位置に配置されているので、磁気ストライプの大きさ（長さ又は幅）の違いはセンサ通過時間ｔ１とｔ２の違いとなってセンサ出力の波形に表れる。
【００２３】
すなわち、図３（Ａ）のように、通帳３の出力波形はセンサ出力の幅ｔ１は短くなり、（Ｂ）のように通帳４aの出力の幅ｔ２は長くなる。この関係を図６に示す。
このように、センサ２aの出力における通帳の磁気ストライプの通過時間（時間軸方向の波形長さ）の違いを検出することにより、磁気ストライプの違いから通帳の種別を判別することができる。すなわち、通帳プリンタの制御部は通帳の種別ごとに、基準となる磁気ストライプの通過時間を示す情報を予めメモリに保持しておき、センサからの出力波形をＡ／Ｄ変換した情報と、メモリに保持されている基準信号の情報と照合することで、通帳の種別を判別することができる。
【００２４】
なお、通帳３及び４aは中紙の頁毎に異なるバーコードを有している。このバーコードには縦バーコード、横バーコード、横長短バーコードといった種類がある。そこで、このバーコードを読取るバーコードリーダ（図示せず）を備え、このバーコードリーダの判別結果と磁気ストライプの判別結果とを組み合わせることにより、より多くの種類の通帳を判別することができる。
【００２５】
次に図４〜７を参照して、他の実施例について説明する。
図４に示す例は、上記実施例に比べて、挿入/抜き取り検知センサ２a、２bは、通帳４ａ及び４ｂの磁気ストライプが通過する位置に対応してそれぞれ設置される。
図５に示すように、通帳３，４a、４bの各センサ２a、２bの検出出力は、（Ａ）〜（Ｃ）のようになる。いずれも、（イ）はセンサ２aの出力、（ロ）はセンサ２bの出力を示す。
【００２６】
すなわち（Ａ）の（イ）は通帳３の挿入時のセンサ２ａの出力波形を示し、（ロ）は通帳３挿入時のセンサ２ｂの出力波形を示す。同じく、（Ｂ）の（イ）は通帳４ａの挿入時のセンサ２ａの出力波形を示し、（ロ）は通帳４ａ挿入時のセンサ２ｂの出力波形を示す。（Ｃ）の（イ）は通帳４ｂ挿入時のセンサ２ａの出力波形を示し、（ハ）は通帳４ｂ挿入時のセンサ２ｂの出力波形を示す。これらの関係を図７に示す。
このように、センサ２a、２bの出力波形から、センサ上を磁気ストライプが通過する時間の違い又は磁気ストライプ通過の有無により磁気ストライプの位置の違いに起因する通帳の種別を判別することができる。
【図面の簡単な説明】
【００２７】
【図１】一実施例による通帳プリンタの出入口部を示す図、
【図２】一実施例における通帳の吸入処理シーケンスを示す図、
【図３】一実施例による通帳の磁気ストライプを検知するセンサの出力を示す図、
【図４】他の実施例による通帳プリンタの出入口部を示す図、
【図５】他の実施例による通帳の磁気ストライプを検知するセンサの出力を示す図、
【図６】一実施例におけるセンサ出力と各通帳の関係を示す図、
【図７】他の実施例におけるセンサ出力と各通帳の関係、
【図８】従来技術による磁気ストライプ位置検知手段を持つ装置を示す図、
【図９】従来技術によるの磁気ストライプ判別方法を示す図、
【図１０】従来技術による通帳外形検出手段を持つ装置を示す図。
【符号の説明】
【００２８】
１：挿入口  ２ａ：挿入/抜き取り検知センサ  ２ｂ：挿入/抜き取り検知センサ  ２ｃ：搬送路中の通帳位置検出センサ  ３：横ストライプ通帳
４ａ：縦ストライプ通帳１  ４ｂ：縦ストライプ通帳２  ５：通帳プリンタ。
【図１】
2007179312.tif 000003
【図２】
2007179312.tif 000004
【図３】
2007179312.tif 000005
【図４】
2007179312.tif 000006
【図５】
2007179312.tif 000007
【図６】
2007179312.tif 000008
【図７】
2007179312.tif 000009
【図８】
2007179312.tif 000010
【図９】
2007179312.tif 000011
【図１０】
2007179312.tif 000012